(57)【要約】【課題】従来のパターンロックの操作感を維持しつつも、予め定められた機能のロックを解除する際のパターンの秘匿性を向上させることが可能な携帯型電話機を提供する。【解決手段】携帯型電話機は、予め定められた機能をロック可能である。携帯型電話機は、プロセッサと静電キーとを備える。静電キーは、複数の操作キーと、複数の操作キーに重ねて設けられた静電センサとを含む。プロセッサは、機能のロックがなされている場合に、静電キーへの指の接触が維持された状態で指によるスワイプ操作と複数の操作キーのうちの少なくとも１つの操作キーに対する押し下げ操作とを含む一連の入力操作を受け付けると、スワイプ操作が予め定められたジェスチャ操作に一致しており、かつ、各操作キーに対する押し下げ操作の回数が操作キー毎に定められた回数に一致していることを条件に、ロックを解除する。【選択図】図５
2016164726.tif 000002
【特許請求の範囲】
【請求項１】
予め定められた機能をロック可能な電子機器であって、
プロセッサと、
入力部とを備え、
前記入力部は、複数の操作キーと、前記複数の操作キーに重ねて設けられたタッチセンサとを含み、
前記プロセッサは、前記機能のロックがなされている場合に、前記入力部への物体の接触が維持された状態で前記物体によるスワイプ操作と前記複数の操作キーのうちの少なくとも１つの操作キーに対する押し下げ操作とを含む一連の入力操作を受け付けると、前記スワイプ操作が予め定められたジェスチャ操作に一致しており、かつ、各前記操作キーに対する前記押し下げ操作の回数が前記操作キー毎に定められた回数に一致していることを条件に、前記ロックを解除する、電子機器。
【請求項２】
予め定められた機能をロック可能な電子機器であって、
プロセッサと、
入力部とを備え、
前記入力部は、複数の操作キーと、前記複数の操作キーに重ねて設けられたタッチセンサとを含み、
前記プロセッサは、前記機能のロックがなされている場合に、前記入力部への複数回の物体によるスワイプ操作と、前記複数回のスワイプ操作のうちの少なくとも１回のスワイプ操作中における前記複数の操作キーのうちの少なくとも１つの操作キーに対する押し下げ操作とを受け付けると、前記複数回のスワイプ操作による一連の操作が予め定められたジェスチャ操作に一致しており、かつ、各前記操作キーに対する前記押し下げ操作の回数が前記操作キー毎に定められた回数に一致していることを条件に、前記ロックを解除する、電子機器。
【請求項３】
予め定められた機能をロック可能な電子機器であって、
プロセッサと、
入力部とを備え、
前記入力部は、複数の操作キーと、前記複数の操作キーに重ねて設けられたタッチセンサとを含み、
前記プロセッサは、前記機能のロックがなされている場合に、前記入力部への物体の接触が維持された状態で前記物体によるスワイプ操作を受け付けると、前記スワイプ操作が予め定められたジェスチャ操作に一致しており、かつ、前記スワイプ操作により前記物体が接触した各領域における前記接触時間が前記領域に対応する前記操作キー毎に定められた条件を満たしている場合に、前記ロックを解除する、電子機器。
【請求項４】
予め定められた機能をロック可能な電子機器であって、
プロセッサと、
複数の操作キーを表示するとともに、前記複数の操作キーの各々を選択可能なタッチスクリーンとを備え、
前記プロセッサは、前記機能のロックがなされている場合に、前記タッチスクリーンへの物体の接触が維持された状態で前記物体によるスワイプ操作を受け付けると、前記スワイプ操作が予め定められたジェスチャ操作に一致しており、かつ、前記スワイプ操作により前記物体が接触した各領域における前記接触時間が前記領域に対応する前記操作キー毎に定められた条件を満たしている場合に、前記ロックを解除する、電子機器。
【請求項５】
予め定められた機能をロック可能な電子機器であって、
プロセッサと、
入力部とを備え、
前記入力部は、複数の操作キーと、前記複数の操作キーに重ねて設けられたタッチセンサとを含み、
前記プロセッサは、前記機能のロックがなされている場合に、前記入力部への複数回の物体によるスワイプ操作を受け付けると、前記複数回のスワイプ操作による一連の操作が予め定められたジェスチャ操作に一致しており、かつ、前記スワイプ操作により前記物体が接触した各領域における前記接触時間が前記領域に対応する前記操作キー毎に定められた条件を満たしている場合に、前記ロックを解除する、電子機器。
【請求項６】
予め定められた機能をロック可能な電子機器であって、
プロセッサと、
複数の操作キーを表示するとともに、前記複数の操作キーの各々を選択可能なタッチスクリーンとを備え、
前記プロセッサは、前記機能のロックがなされている場合に、前記タッチスクリーンへの複数回の物体によるスワイプ操作を受け付けると、前記複数回のスワイプ操作による一連の操作が予め定められたジェスチャ操作に一致しており、かつ、前記スワイプ操作により前記物体が接触した各領域における前記接触時間が前記領域に対応する前記操作キー毎に定められた条件を満たしている場合に、前記ロックを解除する、電子機器。
【請求項７】
予め定められた機能をロック可能な電子機器であって、
プロセッサと、
入力部とを備え、
前記入力部は、複数の操作キーと、前記複数の操作キーに重ねて設けられたタッチセンサとを含み、
前記プロセッサは、前記機能のロックがなされている場合に、前記入力部への複数回の前記物体によるスワイプ操作を含むタッチ操作を受け付けると、前記複数回のスワイプ操作による一連の操作が予め定められたジェスチャ操作に一致しており、かつ、前記タッチ操作によって前記物体が接触した各領域から前記物体が離れた回数が前記領域に対応する前記操作キー毎に定められた回数に一致していることを条件に、前記ロックを解除する、電子機器。
【請求項８】
前記タッチパネルは、前記物体による各前記領域における接触時間を検知可能であって、
前記プロセッサは、前記複数回のスワイプ操作による一連の操作が予め定められたジェスチャ操作に一致しており、前記タッチ操作によって前記物体が接触した各領域から前記物体が離れた回数が前記領域に対応する前記操作キー毎に定められた回数に一致しており、かつ前記タッチ操作が行われることによって前記物体が接触した各領域から前記物体が離れている時間が前記領域に対応する前記操作キー毎に定められた条件を満たしている場合に、前記ロックを解除する、請求項７に記載の電子機器。
【請求項９】
予め定められた機能をロック可能な電子機器であって、
プロセッサと、
複数の操作キーを表示するとともに、前記複数の操作キーの各々を選択可能なタッチスクリーンとを備え、
前記プロセッサは、前記機能のロックがなされている場合に、前記タッチスクリーンへの複数回の前記物体によるスワイプ操作を含むタッチ操作を受け付けると、前記複数回のスワイプ操作による一連の操作が予め定められたジェスチャ操作に一致しており、かつ、前記タッチ操作によって前記物体が接触した各領域から前記物体が離れた回数が前記領域に対応する前記操作キー毎に定められた回数に一致していることを条件に、前記ロックを解除する、電子機器。
【請求項１０】
予め定められた機能をロック可能な電子機器であって、
プロセッサと、
入力部とを備え、
前記入力部は、複数の操作キーと、前記複数の操作キーに重ねて設けられたタッチセンサとを含み、
前記プロセッサは、前記機能のロックがなされている場合に、前記入力部への複数回の前記物体によるスワイプ操作をを含むタッチ操作を受け付けると、前記複数回のスワイプ操作による一連の操作が予め定められたジェスチャ操作に一致しており、かつ、前記タッチ操作が行われることによって前記物体が接触した各領域から前記物体が離れている時間が前記領域に対応する前記操作キー毎に定められた条件を満たしている場合に、前記ロックを解除する、電子機器。
【請求項１１】
予め定められた機能をロック可能な電子機器であって、
プロセッサと、
複数の操作キーを表示するとともに、前記複数の操作キーの各々を選択可能なタッチスクリーンとを備え、
前記プロセッサは、前記機能のロックがなされている場合に、前記タッチスクリーンへの複数回の前記物体によるスワイプ操作をを含むタッチ操作を受け付けると、前記複数回のスワイプ操作による一連の操作が予め定められたジェスチャ操作に一致しており、かつ、前記タッチ操作が行われることによって前記物体が接触した各領域から前記物体が離れている時間が前記領域に対応する前記操作キー毎に定められた条件を満たしている場合に、前記ロックを解除する、電子機器。
【請求項１２】
前記入力部は、静電キーであって、
前記タッチセンサは、静電センサである、請求項１，２，３，５，７，１０のいずれか１項に記載の電子機器。
【請求項１３】
前記予め定められた機能は、スクリーンロック機能である、請求項１から１２のいずれか１項に記載の電子機器。
【発明の詳細な説明】
【技術分野】
【０００１】
本発明は、ユーザ操作を受け付ける電子機器に関する。
【背景技術】
【０００２】
従来、パターンロックあるいはジェスチャパターンロックと呼ばれる技術が知られている。「パターンロック」とは、スマートフォン等の端末装置のスクリーンロックを解除する際に設定可能な、スワイプ操作を使用したロック解除方法のことである。パターンロックは、タッチパネルを複数の領域に区分（区画に分割）し、そのうちの複数の箇所をユーザが任意の順序でなぞっていくことにより認証を行う技術である。
【０００３】
なお、「スクリーンロック」とは、主に、スマートフォン等の端末装置において、ディスプレイの表示およびユーザ操作を制限するように設定する機能のことである。また、「スワイプ操作」とは、マルチタッチインターフェースにおける操作のうち、画面に触れた状態で指を滑らせる操作のことである。
【０００４】
たとえば、特許文献１には、上記パターンロックの一つとして、機器のユーザがアンロック画像上でジャスチャ操作を行なうことにより、当該機器がアンロッキングする技術が開示されている。
【先行技術文献】
【特許文献】
【０００５】
【特許文献１】特表２００９−５２１７５３号公報
【特許文献２】特開２０１３−１６１１５号公報
【特許文献３】米国特許公報第２０１２／００６０１２８Ａ１
【発明の概要】
【発明が解決しようとする課題】
【０００６】
パターンロックに用いるパターンは、第三者によって、指紋跡から比較的容易に推測されてしまう。
【０００７】
また、たとえばＡｎｄｒｏｉｄ（登録商標）ＯＳ（Operating System）のパターンでは、画面に表示されている９個のドットのうちの４個以上のドットを連続して結ばなくてはならないというルール、および一つのドットは１回しか結べない（ただし、上を通過することは可能）というルールがある。それゆえ、パターン数は、１４万７０４通りしかない。したがって、セキュリティのレベルは、大文字と小文字との区別をしたアルファベット３文字を組み合せたパスワードと略同等である。
【０００８】
本願発明は、上記の問題点に鑑みなされたものであって、その目的は、従来のパターンロックの操作感を維持しつつも、予め定められた機能のロックを解除する際のパターンの秘匿性を向上させることが可能な電子機器を提供することにある。
【課題を解決するための手段】
【０００９】
本発明のある局面に従うと、電子機器は、予め定められた機能をロック可能である。電子機器は、プロセッサと、入力部とを備える。入力部は、複数の操作キーと、複数の操作キーに重ねて設けられたタッチセンサとを含む。プロセッサは、機能のロックがなされている場合に、入力部への物体の接触が維持された状態で物体によるスワイプ操作と複数の操作キーのうちの少なくとも１つの操作キーに対する押し下げ操作とを含む一連の入力操作を受け付けると、スワイプ操作が予め定められたジェスチャ操作に一致しており、かつ、各操作キーに対する押し下げ操作の回数が操作キー毎に定められた回数に一致していることを条件に、ロックを解除する。
【発明の効果】
【００１０】
本発明によれば、従来のパターンロックの操作感を維持しつつも、スクリーンロックを解除する際のパターンの秘匿性を向上させることが可能となる。
【図面の簡単な説明】
【００１１】
【図１】携帯型電話機の外観を表した斜視図である。
【図２】スクリーンロックを解除するためのユーザ操作を説明するための図である。
【図３】携帯型電話機１のハードウェア構成を説明するための図である。
【図４】メモリ１２０に格納されている情報を説明するための図である。
【図５】携帯型電話機１における処理の流れの典型例を説明するためのフローチャートである。
【図６】時間情報Ｄｃの典型例の一つを表した図である。
【発明を実施するための形態】
【００１２】
以下、図面を参照しつつ、タッチスクリーンを有する電子機器の一例としてフィーチャーフォン型の携帯型電話機を例に挙げて説明する。
［実施の形態１］
＜Ａ．外観＞
図１は、携帯型電話機の外観を表した斜視図である。図１を参照して、携帯型電話機１は、上部筐体１０１と、下部筐体１０２と、ヒンジ部１０３とを備える。上部筐体１０１と下部筐体１０２とは、ヒンジ部１０３により接続されている。
【００１３】
上部筐体１０１は、表示部としてのディスプレイ１６０を備える。下部筐体１０２は、入力部としての静電キー１３０を備える。
【００１４】
静電キー１３０は、テンキー３００と、静電センサ３５０と、十字キー等の他の操作キーとを備える。静電センサ３５０は、テンキー３００および他のキーに重ねて設けられている。典型的には、テンキー３００および他のキーの露出面側（表面側）に静電センサ３５０が設置されている。換言すれば、テンキー３００および他のキーは、静電センサ３５０に覆われておる。なお、テンキー３００および他のキーの裏面側に静電センサ３５０が設置された構成であってもよい。
【００１５】
静電キー１３０は、指およびスタイラスペン等の物体によるテンキー３００および他のキーの押し下げ操作を検知する。以下では、テンキー３００を構成する複数のキーの少なくとも一部のキー（たとえば、１〜９の９つのキー）の各々に対する押し下げ操作に着目して説明する。
【００１６】
携帯型電話機１は、スクリーンロック機能を有する。詳細については後述するが、携帯型電話機１では、パターンロックを解除する際に用いられるスワイプ操作と、テンキー３００を構成するキーへの押し下げ操作（クリック操作）とをユーザが行なうことにより、スクリーンロックを解除する。なお、スワイプ操作は、静電キー１３０の表面（詳しくは、静電センサ３５０の表面）における領域９１０において行われる。
【００１７】
＜Ｂ．処理の概要＞
図２は、スクリーンロックを解除するためのユーザ操作を説明するための図である。図２（Ａ）は、スクリーンロックがなされた状態を表した図である。図２（Ｂ）は、スクリーンロックを解除するためのユーザ操作が完了した状態を表した図である。
【００１８】
図２（Ａ）を参照して、携帯型電話機１は、ディスプレイ１６０に、９つのドットからなる画像６１０を表示する。各ドットは、テンキー３００を構成する１つのキーに対応付けられている。たとえば、左の列の一番上のドットは、キー３０１と対応付けられている。真ん中の列の一番上のドットは、キー３０２と対応付けられている。右の列の一番上のドットは、キー３０３と対応付けられている。真ん中の列の一番下のドットは、キー３０８と対応付けられている。
【００１９】
図２（Ｂ）を参照して、ユーザは、スワイプ操作が予め定められたジェスチャ操作に一致するように、指を静電キー１３０（正確には、静電センサ３５０）上で移動させる。一例として、ユーザは、矢印９１５，９５２，９５３で示す方向にこの順にスワイプ操作を行なう。具体的には、ユーザは、指を静電キー１３０から離すことなく、キー３０１、キー３０５、キー３０９、キー３０８、キー３０７、キー３０５、キー３０３の順に、これらのキー上の静電センサ３５０の表面領域（キーに対応する領域）を指でなぞる。
【００２０】
実際にはキーに直に接触することはできないが、以下では説明の便宜上、キー上の静電センサ３５０の表面領域をなぞることを、単に、「キーをなぞる」と称する。また、同様に、キー上の静電センサ３５０の表面領域に指が到達する場合を、単に、「キーに指が到達する」と称する。さらに、同様にキー上の静電センサ３５０の表面領域に指を触れることを、「指をキーに接触させる」と称し、当該指が表面領域から離されることを、「キーから指が離れる」とも称する。
【００２１】
さらに、スワイプ操作の途中で、ユーザは、予め定められたキーに対して、予め定められた回数の押し下げ操作を行なう。たとえば、キー３０３，３０７，３０９に対して、それぞれ、３回、２回、１回といった回数が予め登録されている場合、スワイプ操作によって“９”のキー３０９に指が到達した後、ユーザは、１回だけキー３０９をクリックする。なお、ユーザがキー３０９に対応する静電センサ３５０の領域を押すことにより、キー３０９がクリックされる。次いで、スワイプ操作によって“７”のキー３０７に指が到達した後に、ユーザは２回だけキー３０７をクリックする。最後に、スワイプ操作によって“３”のキー３０３に指が到達した後に、ユーザは、３回だけキー３０９をクリックする。
【００２２】
携帯型電話機１は、このようなスワイプ処理と予め定められたキーへの予め定められた回数の押し下げ操作とをユーザから受け付けたことを条件に、スクリーンロックを解除する。すなわち、携帯型電話機１は、スクリーンロックがなされている場合に、静電キー１３０への指の接触が維持された状態で指によるスワイプ操作とキーの押し下げ操作とを含む一連の入力操作を受け付けると、当該スワイプ操作が予め定められたジェスチャ操作に一致しており、かつ、各キーに対する押し下げ操作の回数がキー毎に定められた回数に一致していることを条件に、スクリーンロックを解除する。
【００２３】
このように、テンキー３００を構成するキーへの押し下げ回数をロックの解除の条件に加えることにより、設定可能なパターン数を、たとえばＡｎｄｒｏｉｄ  ＯＳにおける設定可能なパターン数（１４万７０４通り）よりも極めて多くすることができる。特に、携帯型電話機１においては、ユーザは、スワイプ操作の途中で、キーへの押し下げ操作を行なえばよい。それゆえ、携帯型電話機１によれば、従来のパターンロックの操作感を維持しつつも、スクリーンロックを解除する際のパターンの秘匿性を向上させることが可能となる。
【００２４】
また、携帯型電話機１は、ユーザから受け付けたスワイプ操作に基づく軌跡６２０をディスプレイ１６０に表示させる。それゆえ、ユーザは、スワイプ操作の状況を画面で確認することができる。
【００２５】
＜Ｃ．ハードウェア構成＞
図３は、携帯型電話機１のハードウェア構成を説明するための図である。図３を参照して、携帯型電話機１は、ＣＰＵ（Central Processing Unit）１１０と、メモリ１２０と、静電キー１３０と、静電キードライバ１４０と、ディスプレイドライバ１５０と、ディスプレイ１６０とを備える。
【００２６】
静電キー１３０は、上述したように、少なくとも、複数のキー３０１，３０２，３０３，…から構成されるテンキー３００と、静電センサ３５０とを含む。メモリ１２０は、典型的には、フラッシュメモリ等の不揮発性のメモリである。メモリ１２０は、ロックパターン情報Ｄａと、回数情報Ｄｂとを記憶している。詳細については後述するが、ロックパターン情報Ｄａは、ジェスチャ操作を規定した情報である（図４（Ａ）参照）。
【００２７】
静電キードライバ１４０は、静電キー１３０用のドライバである。静電キードライバ１４０は、静電センサ３５０からタッチ情報を受け付ける。ユーザがスワイプ操作を行なった場合には、静電センサ３５０は、タッチ情報としてパターン情報（正確には、複数の座標値の情報）を、静電センサ３５０から受け付ける。
【００２８】
また、静電キードライバ１４０は、ユーザによる押し下げ操作に基づいて、テンキー３００を構成する各キー３０１，３０２，３０３，…から、ユーザによるキー操作情報を習得する。具体的には、静電キードライバ１４０は、押し下げられたキーを特定するための情報を当該キーから受信する。静電キードライバ１４０は、上記タッチ情報と上記キー操作情報とを、ＣＰＵ１１０に送る。
【００２９】
ＣＰＵ１１０は、スクリーンロックがなされている場合に、静電キー１３０への指の接触が維持された状態で当該指によるスワイプ操作とキーの押し下げ操作とを含む一連の入力操作を受け付けると、以下の処理を行なう。すなわち、ＣＰＵ１１０は、当該スワイプ操作が予め定められたジェスチャ操作に一致しており、かつ、各キーに対する押し下げ操作の回数が操作キー毎に定められた回数に一致していることを条件に、スクリーンロックを解除する。
【００３０】
詳しくは、ＣＰＵ１１０は、静電キードライバ１４０からタッチ情報とキー操作情報とを受け付けると、メモリ１２０からロックパターン情報Ｄａと回数情報Ｄｂとを読み出す。ＣＰＵ１１０は、静電キードライバ１４０から受け付けたタッチ情報が、ロックパターン情報と一致するか否かを判断する。つまり、ＣＰＵ１１０は、スワイプ操作が予め定められたジェスチャ操作と一致するか否かを判断する。さらに、ＣＰＵ１１０は、静電キードライバ１４０から受け付けたキー操作情報が、回数情報Ｄｂに規定された情報と一致するか否かを判断する。
【００３１】
また、ＣＰＵ１１０は、静電キードライバ１４０から受け付けたタッチ情報に基づき、ディスプレイ１６０にスワイプ操作に基づく軌跡（つまり、ユーザによって入力されたパターン情報）を表示させるための指令を、ディスプレイドライバ１５０に対して送信する。この場合、ディスプレイドライバ１５０は、入力されたパターン情報をディスプレイ１６０に表示させる処理を行なう。
【００３２】
また、携帯型電話機１は、スクリーンロックが解除された状態で、ユーザから、ロックパターン情報Ｄａおよび回数情報Ｄｂの更新および新規作成等の登録操作を受け付ける。つまり、携帯型電話機１は、ジェスチャ操作の登録要求とキーに対する押し下げ回数の登録要求とを受け付け、当該受け付けたジェスチャ操作と回数とを、メモリ１２０に格納する、詳しくは、ＣＰＵ１１０が、受け付けた登録操作に基づき、メモリ１２０に記憶されているロックパターン情報Ｄａおよび回数情報Ｄｂのデータを更新する。なお、当該登録処理は、静電キー１３０を用いて行われる。
【００３３】
このように、ユーザは、ジェスチャの登録操作とキーに対する押し下げ回数の登録が可能となるため、適宜、これらの登録操作を行なうことにより、セキュリティを向上させることができる。
【００３４】
＜Ｄ．データ＞
図４は、メモリ１２０に格納されている情報を説明するための図である。図４（Ａ）は、ロックパターン情報Ｄａの典型例の一つを表した図である。図４（Ｂ）は、回数情報Ｄｂの典型例の一つを表した図である。
【００３５】
図４（Ａ）を参照して、ロックパターン情報Ｄａは、キーの登録順序（つまり、ジェスチャ操作）を規定している。たとえば、図４（Ａ）に具体的に示した数字列“１５９８７３”は、図２（Ｂ）の例に対応している。すなわち、Ａｎｄｏｒｏｉｄ  ＯＳのように、一つのドットは１回しか結べない（ただし、上を通過することは可能）というルールに従う場合、“５”のキー３０５の重複を無視して、“１”のキー３０１、“５”のキー３０５、“９”のキー３０９、“８”のキー３０８、“７”のキー３０７、“３”のキー３０３のキーをこの順になぞるスワイプ操作をユーザが行なうと、当該スワイプ操作が、ロックパターン情報Ｄａに規定されたジェスチャ操作と一致することになる。
【００３６】
図４（Ｂ）を参照して、回数情報Ｄｂでは、テンキーのうちの１〜９のキーに対して、押し下げ回数が対応付けられている。図４（Ｂ）に具体的に示した押し下げ回数は、図２（Ｂ）に基づいて説明した場合の回数を表している。
【００３７】
ロックパターン情報Ｄａにキー３０２，３０４，３０６の各々に対応する数字“２”，“４”，“６”がないため、回数情報Ｄｂにおいては、“２”，“４”，“６”に対しては、０または１以上の回数を示す値が対応付けられていない。しかしながら、これに限定されず、ロックパターン情報Ｄａにない数字（１文字の数字）に対して、回数が対応付けられていてもよい。この場合には、ＣＰＵ１１０は、これらの回数を無視すればよい。
【００３８】
なお、ロックパターン情報Ｄａおよび回数情報Ｄｂは、上述したように、ユーザ操作により更新等が可能である。
【００３９】
＜Ｅ．制御構造＞
図５は、携帯型電話機１における処理の流れの典型例を説明するためのフローチャートである。図５を参照して、ステップＳ２において、ＣＰＵ１１０は、ディスプレイ１６０にロック画面を表示させる。つまり、ＣＰＵ１１０は、スクリーンロックを行なう。
【００４０】
ステップＳ４において、ユーザがスワイプ操作を行なったことに基づき、ユーザがＣＰＵ１１０は、静電キー１３０（詳しくは、静電センサ３５０）からスワイプ操作に基づく座標値を取得する。ステップＳ６において、ＣＰＵ１１０は、スワイプ操作中における各キー３０１〜３０９の押し下げ回数をカウントする。
【００４１】
ステップＳ８において、ＣＰＵ１１０は、スワイプ操作が終了したか否かを判断する。すなわち、ＣＰＵ１１０は、指またはスタイラスペン等の物体が静電キー１３０から離れたか否かを判断する。
【００４２】
離れていないと判断された場合（ステップＳ８においてＮＯ）、ＣＰＵ１１０は、処理をステップＳ４に戻す。離れたと判断された場合（ステップＳ８においてＹＥＳ）、ＣＰＵ１１０は、ステップＳ１０において、スワイプ操作が予め定められたジェスチャ操作に一致しているか否かを判断する。具体的には、ＣＰＵ１１０は、ロックパターン情報Ｄａ（図４（Ａ））を参照して、スワイプ操作によるキーの選択順序がロックパターン情報Ｄａに登録されている順序に一致しているか否かを判断する。なお、本実施の形態では、上述したように、同じキーが重複して選択された場合、２回目以降の選択は上記の判定に用いていない。
【００４３】
上記ジェスチャ操作に一致していないと判断された場合（ステップＳ１０においてＮＯ）、ＣＰＵ１１０は、ステップＳ１６において、ディスプレイ１６０にエラー表示を行なわせる。上記ジェスチャ操作に一致していると判定された場合（ステップＳ１０においてＹＥＳ）、ＣＰＵ１１０は、ステップＳ１２において、回数情報Ｄｂ（図４（Ｂ））を参照して、各キーの押し下げ回数がキー毎に定められた回数に一致するか否かを判断する。
【００４４】
上記回数に一致していないと判断された場合（ステップＳ１２においてＮＯ）、ＣＰＵ１１０は、処理をステップＳ１６に進める。上記回数に一致していると判断された場合（ステップＳ１２においてＹＥＳ）、ＣＰＵ１１０は、ステップＳ１４において、スクリーンロックの解除を行なう。
【００４５】
＜Ｆ．補足＞
携帯型電話機１における処理は、各ハードウェアおよびＣＰＵ１１０により実行されるソフトウェアによって実現される。このようなソフトウェアは、典型的には、不揮発性メモリであるメモリ１２０に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。
【００４６】
携帯型電話機１を構成するハードウェアは、一般的なものである。したがって、本発明の本質的な部分は、携帯型電話機１に搭載されたメモリ１２０に格納されたソフトウェア、メモリカード等の外部記憶媒体に格納されたソフトウェア、あるいはネットワークを介してダウンロード可能なソフトウェアであるともいえる。
【００４７】
＜Ｇ．変形例＞
（１）タッチスクリーンを有する電子機器は、上述したように、フィーチャーフォン型の携帯型電話機に限定されるものではない。たとえば、タブレット端末、パーソナルコンピュータ、デジタルカメラ、オーディオプレイヤ、スマートフォン、ウェアラブル端末であってもよい。
【００４８】
（２）上記においては、上述したロックの解除方法は、スクリーンロック機能に着目して説明したが、スクリーンロック機能に限定されるものではない。各種のプログラムによって実現される様々なロックに対して、上述したロックの解除方法を適用可能である。つまり、予め定められた機能をロック可能な各種の電子機器に対して、適用可能である。
【００４９】
（３）上記においては、携帯型電話機１が、入力部として、複数の操作キーと当該複数の操作キーに重ねて設けられた静電センサ３５０とを含む静電キー１３０を備えた構成を例に挙げて説明したが、これに限定されるものではない。静電キー１３０の代わりに、複数の操作キーと、当該複数の操作キーに重ねて設けられたタッチセンサ（指等の物体の接触を検出するためのセンサ）とを含む構成であれば、入力部の構成は特に限定されるものではない。この点は、後述する各実施の形態でも同様である。
［実施の形態２］
実施の形態１においては、静電キー１３０が、指およびスタイラスペン等の物体による各領域における押し下げ操作を検知する構成について説明した。しかしながら、これに限定されるものではない。押し下げを検知する代わりに、指等による各領域における接触時間を検知するように、静電キー１３０を構成してもよい。
【００５０】
このような構成の場合には、携帯型電話機１は、回数情報Ｄｂ（図４（Ｂ））の代わりに、時間情報Ｄｃを予めメモリ１２０に格納している。以下、時間情報Ｄｃの概要および時間情報Ｄｃを用いた携帯型電話機１によるロック解除方法について説明する。
【００５１】
図６は、時間情報Ｄｃの典型例の一つを表した図である。図６を参照して、時間情報Ｄｃでは、テンキーのうちの１〜９のキーに対して、指等の接触時間Ｔに関する条件（範囲）が対応付けられている。
【００５２】
なお、ロックパターン情報Ｄａにキー３０２，３０４，３０６の各々に対応する数字“２”，“４”，“６”がないため、時間情報Ｄｃにおいては、“２”，“４”，“６”に対しては、接触時間Ｔに関する条件が設定されていない。しかしながら、これに限定されず、ロックパターン情報Ｄａにない数字（１文字の数字）に対して、接触時間Ｔに関する条件が対応付けられていてもよい。この場合には、ＣＰＵ１１０は、これらの条件を無視すればよい。また、時間情報Ｄｃは、ユーザ操作により更新等が可能である。
【００５３】
以下、このような時間情報Ｄｃを利用したスクリーンのロック解除方法について、図２（Ｂ）を再び参照して説明する。図２（Ｂ）を参照して、ユーザは、スワイプ操作が予め定められたジェスチャ操作に一致するように、指を静電キー１３０上で移動させる。具体的には、ユーザは、指を静電キー１３０から離すことなく、キー３０１、キー３０５、キー３０９、キー３０８、キー３０７、キー３０５、キー３０３の順に、これらのキーを指でなぞる。
【００５４】
さらに、スワイプ操作の途中で、ユーザは、予め定められたキーに対して、予め定められた時間接触状態を保つ。たとえば、キー３０３，３０７，３０９に対して、それぞれ、図６に示した接触時間Ｔの条件が予め登録されている場合、スワイプ操作によって“９”のキー３０９に指が到達した後、ユーザは、指の移動を停止させて、１秒よりも長くキー３０９に指を接触させる。次いで、スワイプ操作によって“７”のキー３０７に指が到達した後に、ユーザは、指の移動を停止させて、２秒よりも長くキー３０７に指を接触させる。最後に、スワイプ操作によって“３”のキー３０３に指が到達した後に、ユーザは、指の移動を停止させて、３秒よりも長くキー３０３に指を接触させる。
【００５５】
携帯型電話機１は、このようなスワイプ処理と予め定められたキーへの予め定められた時間条件を満たす接触状態を維持する操作とをユーザから受け付けたことを条件に、スクリーンロックを解除する。
【００５６】
すなわち、携帯型電話機１は、スクリーンロックがなされている場合に、静電キー１３０への指の接触が維持された状態で指によるスワイプ操作を受け付けると、スワイプ操作が予め定められたジェスチャ操作に一致しており、かつ、スワイプ操作により指が接触した各領域における接触時間が当該領域に対応するキー毎に定められた条件を満たしている場合に、スクリーンロックを解除する。
【００５７】
このように、テンキー３００を構成するキーへの接触時間をロックの解除の条件に加えることにより、設定可能なパターン数を、たとえばＡｎｄｒｏｉｄ  ＯＳにおける設定可能なパターン数（１４万７０４通り）よりも極めて多くすることができる。特に、携帯型電話機１においては、ユーザは、スワイプ操作の途中で、キーへの接触を一定時間保つ操作を行なえばよい。それゆえ、携帯型電話機１によれば、従来のパターンロックの操作感を維持しつつも、スクリーンロックを解除する際のパターンの秘匿性を向上させることが可能となる。
【００５８】
なお、図６に示した時間情報Ｄｃでは、時間の上限が規定されていないが、これに限定されるものではなく、時間の上限が規定されていてもよい。一例を挙げると、３を表すキー３０３に関する接触時間Ｔの条件を、「５秒＞Ｔ＞３秒」といったように上限および下限を用いて規定してもよい。
【００５９】
また、静電キー１３０が、指等の物体による各領域における押し下げ操作を検知するとともに、指等による各領域における接触時間を検知する構成としてもよい。つまり、回数情報Ｄｂおよび時間情報Ｄｃの一方を利用して、スクリーンロックの解除を行なうように、携帯型電話機１を構成してもよい。回数情報Ｄｂを利用したロック解除を行なうようにするか、時間情報Ｄｃを利用したロック解除を行なうようにするかは、ユーザ操作に基づき決定されるように、携帯型電話機１を構成すればよい。
【００６０】
また、回数情報Ｄｂおよび時間情報Ｄｃの両方を利用するように、携帯型電話機１を構成してもよい。すなわち、予め定められたキーに対して予め定められた回数の押し下げ操作と、当該キーに対して予め定められた時間条件を満たす接触状態を維持する操作とを受け付けことを条件に、スクリーンロックを解除するように、携帯型電話機１を構成してもよい。
【００６１】
なお、実施の形態１の「＜Ｇ．変形例＞」で説明した各種の変形（１）〜（３）は、本実施の形態でも適用可能である。
［実施の形態３］
実施の形態１の携帯型電話機１は、上述したように、スクリーンロックがなされている場合に、静電キー１３０への指の接触が維持された状態で指によるスワイプ操作とキーの押し下げ操作とを含む一連の入力操作を受け付けると、当該スワイプ操作が予め定められたジェスチャ操作に一致しており、かつ、各キーに対する押し下げ操作の回数がキー毎に定められた回数に一致していることを条件に、スクリーンロックを解除する。つまり、実施の形態１の携帯型電話機１では、スクリーンロックを解除するための操作に関し、ユーザは、指を静電キー１３０（換言すれば各キー）から離すことはない。
【００６２】
本実施の形態では、スクリーンロックを解除するための操作の途中において指を静電キー１３０から一旦離しても、スクリーンロックの解除が可能な構成について説明する。
【００６３】
本実施の形態に係る携帯型電話機１は、スクリーン機能のロックがなされている場合に、複数回の指によるスワイプ操作と、当該複数回のスワイプ操作のうちの少なくとも１回のスワイプ操作中における押し下げ操作とを受け付けると、当該複数回のスワイプ操作による一連の操作が予め定められたジェスチャ操作に一致しているか否かを判断する。さらに、携帯型電話機１は、各キーに対する押し下げ操作の回数がキー毎に定められた回数に一致しているか否かを判断する。
【００６４】
携帯型電話機１は、複数回のスワイプ操作による一連の操作が予め定められたジェスチャ操作に一致しており、かつ、各キーに対する押し下げ操作の回数がキー毎に定められた回数に一致していることを条件に、スクリーンロックを解除する。
【００６５】
以下、このようなスクリーンのロック解除方法の複数の具体例について、図２（Ｂ）等を再び参照して説明する。
【００６６】
（１）第１の具体例
図２（Ｂ）を参照して、ユーザは、指を静電キー１３０上で移動させる。具体的には、ユーザは、指を静電キー１３０から離すことなく、キー３０１、キー３０５、キー３０９の順に、これらのキーを指でなぞる。キー３０９に到達すると、ユーザは、静電キー１３０から指を一旦離す。次に、ユーザは、指をキー３０９に再度接触させ、指を静電キー１３０から離すことなく、キー３０９、キー３０８、キー３０７の順に、これらのキーを指でなぞる。キー３０７に到達すると、ユーザは、静電キー１３０から指を一旦離す。次に、ユーザは、指をキー３０７に再度接触させ、指を静電キー１３０から離すことなく、キー３０７、キー３０５、キー３０３の順に、これらのキーを指でなぞる。
【００６７】
さらに、上記連続する３回のスワイプ操作における少なくとも１回のスワイプ操作の途中で、ユーザは、予め定められたキーに対して、予め定められた回数の押し下げ操作を行なう。たとえば、実施の形態１で説明した図４（Ｂ）のとおり、キー３０３，３０７，３０９に対して、それぞれ、３回、２回、１回といった回数が予め登録されている場合、スワイプ操作によって“９”のキー３０９に指が到達した後、ユーザは、１回だけキー３０９をクリックする。次いで、２回目のスワイプ操作によって“７”のキー３０７に指が到達した後に、ユーザは２回だけキー３０７をクリックする。最後に、３回目のスワイプ操作によって“３”のキー３０３に指が到達した後に、ユーザは、３回だけキー３０９をクリックする。
【００６８】
（２）第２の具体例
上記のスワイプ操作を行なう場合において、他の例として、キー３０７に対して２回といった回数が登録されており、かつ、他のキー３０１〜３０６、３０８，３０９に対して０回といった回数が登録あるいは回数の登録がないときには、スクリーンロックを解除するために、ユーザは、押し下げ操作に関して、以下の操作を行なう必要がある。すなわち、ユーザは、１回目のスワイプ操作中には、いずれのキー３０１，３０５，３０９に対しても押し下げ操作を行なわない。ユーザは、２回目のスワイプ操作中に、“７”のキー３０７に指が到達した後に、ユーザは２回だけキー３０７をクリックする。ユーザは、３回目のスワイプ操作中には、いずれのキー３０７，３０５，３０３に対しても押し下げ操作を行なわない。以上の操作により、スクリーンロックの解除が可能となる。
【００６９】
（３）第３の具体例
上記第１の具体例および第２の具体例においては、指を離したキーと、再び指を接触させるキーとが同じである構成を例に挙げて説明したが、これに限定されるものではない。
【００７０】
上記第１の具体例および第２の具体例のように、キー３０１、キー３０５、キー３０９、キー３０８、キー３０７、キー３０５、キー３０３をこの順になぞる場合を例に挙げると、以下のとおりである。
【００７１】
ユーザは、指を静電キー１３０から離すことなく、キー３０１、キー３０５、キー３０９の順に、これらのキーを指でなぞる。キー３０９に到達すると、ユーザは、静電キー１３０から指を一旦離す。次に、ユーザは、指をキー３０８に接触させ、指を静電キー１３０から離すことなく、キー３０８、キー３０７の順に、これらのキーを指でなぞる。キー３０７に到達すると、ユーザは、静電キー１３０から指を一旦離す。次に、ユーザは、指をキー３０５に再度接触させ、指を静電キー１３０から離すことなく、キー３０５、キー３０３の順に、これらのキーを指でなぞる。
【００７２】
このような例の場合、連続して行われるスワイプ操作に関し、前回のスワイプ操作を終了させたキーと、次のスワイプ操作を開始させるキーとが隣り合っていればよい。このような構成であれば、指を離したキーと同じキーから次のスワイプ操作を行なう必要はなくなる。
【００７３】
（４）第４の具体例
上記第１の具体例および第２の具体例では、前回のスワイプ操作の終了時のキーと、次回のスワイプ操作を開始するキーとが同じである場合を挙げて説明した。また、上記第３の具体例では、前回のスワイプ操作の終了時のキーと、次回のスワイプ操作を開始するキーが隣り合っている場合を挙げて説明した。しかしながら、これらに限定されるものではない。
【００７４】
たとえば、予め定められたジェスチャ操作が、キー３０１とキー３０５とキー３０９とをこの順になぞる第１の操作と、キー３０７とキー３０５とキー３０３とをこの順でなぞる第２の操作とをこの順に組み合わせたものである場合（すなわち、ロックパターン情報Ｄａ（図４（Ａ））が数字列“１５９７３”である場合）等においては、スクリーンロックの解除の際には、前回のスワイプ操作の終了時のキーと、次回のスワイプ操作を開始するキーが隣り合っている必要はない。
【００７５】
以上のように、携帯型電話機１は、このような複数回のスワイプ処理と予め定められたキーへの予め定められた回数の押し下げ操作とをユーザから受け付けたことを条件に、スクリーンロックを解除する。詳しくは、携帯型電話機１は、スクリーンロックがなされている場合に、複数回の指によるスワイプ操作と、当該複数回のスワイプ操作のうちの少なくとも１回のスワイプ操作中における押し下げ操作とを受け付けると、当該複数回のスワイプ操作による一連の操作が予め定められたジェスチャ操作に一致しており、かつ、上記スワイプ操作により指が接触した各領域（各キー）における押し下げ操作の回数が領域毎に定められた回数に一致していることを条件に、スクリーンロックを解除する。このような構成であっても、携帯型電話機１は、実施の形態１に記載の携帯型電話機１と同様の効果を得ることができる。なお、スクリーンロックの解除の際の指を離す回数は、スワイプ操作の回数から１を引いた回数となる。
【００７６】
なお、実施の形態１の「＜Ｇ．変形例＞」で説明した各種の変形（１）〜（３）は、本実施の形態でも適用可能である。
［実施の形態４］
実施の形態３においては、静電キー１３０が、指およびスタイラスペン等の物体による各領域における押し下げ操作を検知する構成について説明した。しかしながら、これに限定されるものではない。実施の形態２で説明したのと同様に、押し下げを検知する代わりに、指等による各領域における接触時間を検知するように、静電キー１３０を構成してもよい。
【００７７】
すなわち、本実施の形態に係る携帯型電話機１は、スクリーンロックがなされている場合に、複数回のスワイプ操作を受け付けると、前記複数回のスワイプ操作による一連の操作が予め定められたジェスチャ操作に一致しており、かつ、スワイプ操作により指が接触した各領域における接触時間が当該領域に対応するキー毎に定められた条件を満たしている場合に、スクリーンロックを解除する。このような構成であっても、携帯型電話機１は、実施の形態２に記載の携帯型電話機１と同様の効果を得ることができる。
【００７８】
また、実施の形態２でも述べたように、静電キー１３０が、指等の物体による各領域における押し下げ操作を検知するとともに、指等による各領域における接触時間を検知する構成としてもよい。つまり、回数情報Ｄｂ（図４（Ｂ））および時間情報Ｄｃ（図６）の一方を利用して、スクリーンロックの解除を行なうように、携帯型電話機１を構成してもよい。さらに、実施の形態２でも述べたように、回数情報Ｄｂおよび時間情報Ｄｃの両方を利用するように、携帯型電話機１を構成してもよい。すなわち、予め定められたキーに対して予め定められた回数の押し下げ操作と、当該キーに対して予め定められた時間条件を満たす接触状態を維持する操作とを受け付けことを条件に、スクリーンロックを解除するように、携帯型電話機１を構成してもよい。
【００７９】
なお、実施の形態１の「＜Ｇ．変形例＞」で説明した各種の変形（１）〜（３）は、本実施の形態でも適用可能である。
［実施の形態５］
実施の形態１，３の携帯型電話機１は、上述したように、各キーに対する押し下げ操作の回数がキー毎に定められた回数に一致しているか否かを判断する。つまり、実施の形態１，３では、キーの押し下げ操作の回数の情報をスクリーンロック解除に用いる。
【００８０】
本実施の形態では、キーの押し下げ操作の回数の代わりに、実施の形態３，４で述べた複数回のスワイプ操作による一連の操作において、指がキーから離れた回数の情報を、スクリーンロックの解除に用いる。詳しく説明すると以下のとおりである。
【００８１】
携帯型電話機１は、スクリーンロックがなされている場合に、複数回の指によるスワイプ操作を含むタッチ操作を受け付けると、当該複数回のスワイプ操作による一連の操作が予め定められたジェスチャ操作に一致しており、かつ、当該タッチ操作によって指が接触した各領域から指が離れた回数が当該領域に対応する操作キー毎に定められた回数に一致していることを条件に、スクリーンロックを解除する。
【００８２】
このような構成を実現するために、携帯型電話機１は、回数情報Ｄｂ（図４（Ｂ））の代わりに、テンキーのうちの１〜９のキーに対して指を離した回数（非接触状態にした回数）が対応付けられている回数情報を用いて、上記の判定を行なえばよい。
【００８３】
上記タッチ操作の一例を挙げると以下のとおりである。一例として、９のキー３０９に対して１回が、７のキーに対して２回が対応付けられているとする。また、ユーザが図２（Ｂ）に示したように指を移動させ、かつ携帯型電話機１がロックパターン情報Ｄａ（図４（Ａ））を有している場合を説明する。
【００８４】
このような場合、ユーザは、ユーザは、指を静電キー１３０から離すことなく、キー３０１、キー３０５、キー３０９の順に、これらのキーを指でなぞる。キー３０９に到達すると、ユーザは、キー３０９から指を一旦離す。次に、ユーザは、指をキー３０９に再度接触させ、指を静電キー１３０から離すことなく、キー３０９、キー３０８、キー３０７の順に、これらのキーを指でなぞる。キー３０７に到達すると、ユーザは、キー３０７から指を一旦離す。さらに、ユーザは、キー３０７に指を再度接触させた後、キー３０７から指を一旦離す。次に、ユーザは、指をキー３０７に再度接触させ、指を静電キー１３０から離すことなく、キー３０７、キー３０５、キー３０３の順に、これらのキーを指でなぞる。このように、ユーザは、キー３０９から１回指を離し、キー３０７から２回指を離す。
【００８５】
このような構成であっても、スクリーンロックに関する設定可能なパターン数を、たとえばＡｎｄｒｏｉｄ  ＯＳにおける設定可能なパターン数（１４万７０４通り）よりも極めて多くすることができる。
【００８６】
なお、上記一連の操作に関し、実施の形態３でも説明したように、指を離したキーと、再び指を接触させるキーとが、同じであっても良いし、異なっていてもよい。また、実施の形態１の「＜Ｇ．変形例＞」で説明した各種の変形（１）〜（３）は、本実施の形態でも適用可能である。
［実施の形態６］
実施の形態２，４の携帯型電話機１は、上述したように、指が接触した各領域における接触時間が当該領域に対応するキー毎に定められた回数に一致しているか否かを判断する。つまり、実施の形態２，４では、キーの接触時間の情報をスクリーンロック解除に用いる。
【００８７】
本実施の形態では、キーの接触時間の代わりに、実施の形態３，４で述べた複数回のスワイプ操作による一連の操作において、指がキーから離れている時間の情報を、スクリーンロックの解除に用いる。詳しく説明すると以下のとおりである。
【００８８】
携帯型電話機１は、スクリーンロックがなされている場合に、複数回の指によるスワイプ操作を含むタッチ操作を受け付けると、当該複数回のスワイプ操作による一連の操作が予め定められたジェスチャ操作に一致しており、かつ、当該タッチ操作が行われることによって指が接触した各領域から指が離れている時間が当該領域に対応するキー毎に定められた条件を満たしている場合に、スクリーンロックを解除する。
【００８９】
このような構成を実現するために、携帯型電話機１は、時間情報Ｄｃ（図６）の代わりに、テンキーのうちの１〜９のキーに対して指が離れている時間に関する条件（範囲）が対応付けられた時間情報を用いて、上記の判定を行なう。
【００９０】
このような構成であっても、スクリーンロックに関する設定可能なパターン数を、たとえばＡｎｄｒｏｉｄ  ＯＳにおける設定可能なパターン数（１４万７０４通り）よりも極めて多くすることができる。
【００９１】
なお、上記一連の操作に関し、実施の形態３でも説明したように、指を離したキーと、再び指を接触させるキーとが、同じであっても良いし、異なっていてもよい。また、１つのキーに接触する回数は、特に限定されるものではない。スクリーンロックを解除する際に、同じキーに複数回接触してもよい。さらに、実施の形態１の「＜Ｇ．変形例＞」で説明した各種の変形（１）〜（３）は、本実施の形態でも適用可能である。
［実施の形態７］
実施の形態５の構成に対して、実施の形態６の構成を組み合わせてもよい。すなわち、携帯型電話機１を以下のように構成してもよい。
【００９２】
すなわち、本実施の形態に係る携帯型電話機１は、複数回の指によるスワイプ操作を含むタッチ操作を受け付けると、（i）複数回のスワイプ操作による一連の操作が予め定められたジェスチャ操作に一致しており、（ii）タッチ操作によって指が接触した各領域から指が離れた回数が領域に対応するキー毎に定められた回数に一致しており、かつ、（iii）当該タッチ操作が行われることによって指が接触した各領域から指が離れている時間が当該領域に対応するキー毎に定められた条件を満たしている場合に、スクリーンロックを解除する。
【００９３】
このような構成によれば、実施の形態５の携帯型電話機１よりも、スクリーンロックに関する設定可能なパターン数を増やすことが可能となる。また、実施の形態５の携帯型電話機１よりも、他人に、スクリーンロックを破られる可能性が低減する。
［実施の形態８］
上記実施の形態１〜７のうち、キーに対する押し下げ操作をロックの解除に用いない構成（実施の形態２，４〜７）においては、静電キー１３０の代わりに、タッチスクリーンを用いることができる。なお、タッチスクリーンは、ディスプレイ機能とタッチパネル機能とを有する構成であれば、ディスプレイ部とタッチパネル部とが別体で構成されている必要なない。すなわち、タッチスクリーンは、ディスプレイ上にタッチパネルが配置された構成であってもよいし、光センサ液晶のようにディスプレイ部とタッチパネル部とが分離できないものであってもよい。
【００９４】
たとえば、実施の形態２において、静電キー１３０の代わりに、タッチスクリーンを用いた場合、携帯型電話機１は以下のような構成を有すると言える。
【００９５】
携帯型電話機１は、予め定められた機能をロック可能である。携帯型電話機１は、プロセッサと、複数の操作キーを表示するとともに、前記複数の操作キーの各々を選択可能なタッチスクリーンとを備える。プロセッサは、機能のロックがなされている場合に、タッチスクリーンへの指の接触が維持された状態で指によるスワイプ操作を受け付けると、当該スワイプ操作が予め定められたジェスチャ操作に一致しており、かつ、当該スワイプ操作により指が接触した各領域における接触時間が当該領域に対応するキー毎に定められた条件を満たしている場合に、上記ロックを解除する。
【００９６】
このように、実施の形態２，４〜７において、静電キー１３０の代わりに、タッチスクリーンを用いた場合であっても、各々の実施の形態２，４〜７で説明した効果と同様の効果を得ることができる。
【００９７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９８】
１  携帯型電話機、１０１  上部筐体、１０２  下部筐体、１０３  ヒンジ部、１２０  メモリ、１３０  タッチパネル、１４０  静電キードライバ、１５０  ディスプレイドライバ、１６０  ディスプレイ、３００  テンキー、３０１，３０２，３０３，３０４，３０５，３０６，３０７，３０８，３０９  キー、３５０  静電センサ、６１０  画像、６２０  軌跡、９１０  領域、９５１，９５２，９５３  矢印、Ｄａ  ロックパターン情報、Ｄｂ  回数情報、Ｄｃ  時間情報。
【図１】
2016164726.tif 000003
【図２】
2016164726.tif 000004
【図３】
2016164726.tif 000005
【図４】
2016164726.tif 000006
【図５】
2016164726.tif 000007
【図６】
2016164726.tif 000008